(57)【要約】【課題】防護の取付作業の簡略化を実現した電力量調査計器取付方法を提供する。【解決手段】分電盤１に備えられた分岐ブレーカ１０の電圧端子２２Ｗに、電力量調査用の計器を取り付ける取付方法であって、計器から延びるリード線の先端に設けられた電圧クリップ５４Ｗを電圧端子２２Ｗに取り付ける前に、電圧端子２２Ｗ近傍に絶縁性を有する粘土３０を取り付け、電圧端子２２Ｗに電圧クリップ５４Ｗを取り付けたときに、電圧クリップ５４Ｗと電圧端子２２Ｗ近傍の銅板２４Ｂとの間に粘土３０を介在させる。【選択図】図４
2013081293.tif 000002
【特許請求の範囲】
【請求項１】
電気回路基盤に備えられた複数の端子における所定の端子に、電気的値を調査する計器を取り付ける計器取付方法であって、
前記所定の端子に前記計器の入力端子を接続する前に、前記所定の端子近傍に絶縁性を有する可塑性部材を取り付け、前記所定の端子の近傍に配置されている低圧充電部を前記可塑性部材によって被覆することを特徴とする計器取付方法。
【請求項２】
前記可塑性部材は、絶縁性を有する粘土であることを特徴とする請求項１記載の計器取付方法。
【請求項３】
前記可塑性部材は、絶縁性を有する袋部材の内部に粘土を充填してなる部材であることを特徴とする請求項１記載の計器取付方法。
【請求項４】
電気回路基盤に備えられた複数の端子における所定の端子に、電気的値を調査する計器を取り付ける取付方法であって、
前記所定の端子に前記計器の入力端子を接続する前に、前記所定の端子近傍に絶縁性を有する液状部材を塗布して絶縁層を形成し、前記所定の端子の近傍に配置されている端子を前記絶縁層によって被覆することを特徴とする計器取付方法。
【発明の詳細な説明】
【技術分野】
【０００１】
本発明は、電流、電圧又は電力量等を調査する計器の入力端子を、電気部品が実装された基盤の所定の端子に接続する際に適用される計器取付方法に関する。
【背景技術】
【０００２】
近年、顧客の、「省エネルギー」、「環境負荷低減」等のニーズに応えるため、顧客設備のエネルギー使用状況を計測、分析して運用改善及び高効率システムを提案するエネルギー診断業務が行われている。
【０００３】
エネルギー診断業務においては、詳細なエネルギー使用状況を把握するために、顧客設備の低圧分電盤内に、電力量の計測を行う計器を多数設置して、２週間程度の長い期間のデータを取り込み、分析を行っている。
【０００４】
ところで、計器にデータを取り込むためには、顧客設備である低圧分電盤内の各種の電圧端子に、計器から延びるリード線の先端に設けられている電圧入電用のクリップ（以下、電圧クリップと称する）を取り付ける作業が行われる。この取付作業は、低圧分電盤に電気が通電している状態で行われ、更に、低圧分電盤においては、各電圧端子あるいは銅板の間隔は非常に狭く、充電部が露出していることが多い。このため、電圧クリップの取り付けあるいは撤去時に、電圧クリップの先端部が電圧端子間や銅板間に接触し、相間短絡を起こす事例が多く発生している。
【０００５】
また、計器を取り付けている期間は２週間程度と長いため、電圧クリップが万一外れた場合の措置を長期間に亘って確実に実施することが必要である。
【０００６】
そこで従来、絶縁テープ、絶縁セパレータ、低圧ビニルシートを用いて電圧端子や銅板を防護し、電圧端子間や電圧端子と銅板との間で相間短絡が発生すること防止している。
【０００７】
また、従来のこの種の技術としては、特許文献１に記載された技術がある。特許文献１には、母線バー導体が、電源端子及び分岐ブレーカの接続端子に接続される部分を除いて、全体にエポキシ樹脂等の絶縁剤により絶縁被覆が施されている分電盤について開示されている。
【先行技術文献】
【特許文献】
【０００８】
【特許文献１】特開２００４−８８８３１号公報
【発明の概要】
【発明が解決しようとする課題】
【０００９】
しかしながら、絶縁テープ、絶縁セパレータ、低圧ビニルシートといった防護を取り付ける際には、低圧分電盤に低圧の電気が通電している状態での作業となるため、作業員は低圧ゴム手袋を着用しなければならない。しかも、各電圧端子あるいは銅板は非常に狭い間隔であることが多いことから、防護を取り付ける作業は大変難しいものとなり、防護が不完全である場合が生じている。このため、計器を取り付けるまでの作業工程において、防護の取り付けが特に困難な作業となっている。
【００１０】
なお、エネルギー診断業務以外でも、電気回路基盤における電流値や電圧値等を調査する計器を取り付ける際に、電気回路基盤の端子間の距離が狭い場合には防護を取り付ける必要があり、この防護の取付作業が困難性の高い作業となっている。
【００１１】
本発明は、このような問題点を解決し、防護の取付作業の簡略化を実現した計器取付方法を提供することを目的とする。
【課題を解決するための手段】
【００１２】
本発明は、前記目的を達成するため、次に記載する構成を備えている。
【００１３】
（１）  電気回路基盤に備えられた複数の端子における所定の端子に、電気的値を調査する計器を取り付ける計器取付方法であって、前記所定の端子に前記計器の入力端子を接続する前に、前記所定の端子近傍に絶縁性を有する可塑性部材を取り付け、前記所定の端子の近傍に配置されている低圧充電部を前記可塑性部材によって被覆することを特徴とする計器取付方法。
【００１４】
（１）によれば、計器の入力端子を電気回路基盤の所定の端子に電気的に接続する前に、所定の端子近傍に絶縁性を有する可塑性部材を取り付けることにより、可塑性部材が、所定の端子近傍の各種の端子や銅板等の低圧充電部の防護となる。これにより、計器の入力端子を電気回路基盤の所定の端子に接続させた場合に、同時に計器の入力端子が電気回路基盤の他の端子に接触することが防止される。更に、可塑性部材は、所定の端子付近の構成に合わせて形状を変形させることが容易に可能であるため、防護の取付作業を簡略化することが可能になる。
【００１５】
（２）  （１）において、前記可塑性部材は、絶縁性を有する粘土であることを特徴とする低圧充電部防護方法。
【００１６】
（２）によれば、防護として粘土が電気回路基盤の所定の端子近傍に配置された際に、粘土の粘性によって配置場所に維持され、落下することが低減される。更に、計器の使用後に、容易に取り除くことが可能になる。
【００１７】
（３）  （１）において、前記可塑性部材は、絶縁性を有する袋部材の内部に粘土を充填してなる部材であることを特徴とする低圧充電部防護方法。
【００１８】
（３）によれば、粘土が絶縁性を有していない場合でも、防護としての可塑性部材を構成することが可能になる。
【００１９】
（４）  電気回路基盤に備えられた複数の端子における所定の端子に、電気的値を調査する計器を取り付ける取付方法であって、前記所定の端子に前記計器の入力端子を接続する前に、前記所定の端子近傍に絶縁性を有する液状部材を塗布して絶縁層を形成し、前記所定の端子の近傍に配置されている端子を前記絶縁層によって被覆することを特徴とする計器取付方法。
【００２０】
（４）によれば、計器の入力端子を電気回路基盤の所定の端子に電気的に接続する前に、所定の端子近傍所定部分に絶縁性を有する液状部材を塗布して絶縁層を形成することにより、絶縁層が、所定の端子近傍の各種の端子や銅板等の電気部品の防護となる。これにより、計器の入力端子を電気回路基盤の所定の端子に接続させた場合に、同時に計器の入力端子が電気回路基盤の他の端子に接触することが防止される。更に、液状部材は、塗布された際に電圧端子付近の構成に合わせて形状が変化するため、防護したい領域をピンポイントでカバーする絶縁層を形成することが可能になる。これにより、防護の取付作業を簡略化することが可能になる。
【発明の効果】
【００２１】
本発明によれば、電力量調査用の計器を分電盤に取り付けるまでの作業において、防護を取り付ける作業を簡略化することが可能になる。
【図面の簡単な説明】
【００２２】
【図１】分電盤１の要部構成を示す説明図である。
【図２】図１のＡ付近の構成を示す斜視図である。
【図３】図２のＢ付近に粘土３０を取り付けた状態を示す斜視図である。
【図４】図３の電圧端子２２Ｗに電圧クリップ５４Ｗを取り付けた状態を示す斜視図である。
【図５】本発明の他構成を示す図である。
【図６】本発明の他構成を示す図である。
【図７】本発明の他構成を示す図である。
【発明を実施するための形態】
【００２３】
以下、本発明の実施形態について、図面を参照しながら詳細に説明する。
図１は、分電盤１の要部構成を示す説明図である。
電気回路基盤に相当する分電盤１は、主幹ブレーカ５、分岐ブレーカ１０、電子部品に相当する中継端子台２０を備えている。本実施形態においては、三相３線式の電灯、動力共用の分電盤１を例として説明する。ここで、三相における第１相を赤相、第２相を白相、第３相を黒相と称することにする。
【００２４】
主幹ブレーカ５は、複数の分岐ブレーカ１０に流れている電流の和が、規定値を超えた場合に電流を遮断する。分岐ブレーカ１０は、電気の使用エリアに対応して設けられており、電力使用量が規定値を超えた場合に、使用エリアに対する電流を遮断する。本実施形態においては、分電盤１に複数の分岐ブレーカ１０が設けられているものとする。
【００２５】
中継端子台２０は、電圧端子２２Ｒ、２２Ｗ、２２Ｂ、銅板２４Ｒ、２４Ｗ、２４Ｂを備えており、接地を取るため等に用いられる。電圧端子２２Ｒ、２２Ｗ、２２Ｂ、銅板２４Ｒ、２４Ｗ、２４Ｂは、低圧充電部に相当する。電圧端子２２Ｒ、２２Ｗ、２２Ｂは、一端が分岐ブレーカ１０の端子に接続され、他端が銅板２４Ｒ、２４Ｗ、２４Ｂに接続される導電性を有する板状部材である。銅板２４Ｒ、２４Ｗ、２４Ｂは、導電性を有する板状部材である。ここで、電圧端子２２Ｒ及び電圧端子２２Ｒは赤相に対応する。電圧端子２２Ｗ及び電圧端子２２Ｗは白相に対応する。電圧端子２２Ｂ及び電圧端子２２Ｂは黒相に対応する。
【００２６】
計器５０は、電圧計５０ａ、低圧検相器５０ｂ、テスタ５０ｃ、及び電流計５０ｄ等を備えている。例えば、電圧計５０ａからは、リード線５２Ｒ、５２Ｗ、５２Ｂは、電圧計５０ａ本体から延びており、先端に入力端子に相当する電圧クリップ５４Ｒ、５４Ｗ、５４Ｂは設けられている。電圧クリップ５４Ｒ、５４Ｗ、５４Ｂは、所謂、ワニ口クリップと称されるクリップであり、電圧端子２２Ｒ、２２Ｗ、２２Ｂを挟持するものである。なお、図示しないが、低圧検相器５０ｂ及び電流計５０ｄも本体からリード線が延びており、先端に電圧クリップが設けられている。テスタ５０ｃについては本体からリード線が延びているが、その先端には細い棒状の入力端子が設けられている。
【００２７】
電圧クリップ５４Ｒ、５４Ｗ、５４Ｂは、電圧端子２２Ｒ、２２Ｗ、２２Ｂにそれぞれ取り付けられる。これにより、電圧計５０ａは、電圧端子２２Ｒ、２２Ｗ、２２Ｂにおける電圧値を取得可能になる。なお、図示しないが、低圧検相器５０ｂ及び電流計５０ｄも分電盤１の所定部位に取り付けられる。
【００２８】
また、計器５０は、電圧計５０ａ、低圧検相器５０ｂ及び電流計５０ｄが取得した情報に基づいて使用電力量を算出する図示しない演算部と、当該演算部が求めた使用電力量を時系列的に累積記憶していく図示しない記憶部（例えば、ＲＡＭ）を備えている。
【００２９】
そして、エネルギー診断業務を行う際には、作業員が、電圧計５０ａ、低圧検相器５０ｂ及び電流計５０ｄを分電盤１の所定位置にそれぞれ取り付け、一定期間（例えば、２週間）電力量の計測を行う。
【００３０】
図２は、図１のＡ付近の構成を示す斜視図である。図２において、例えば、電圧端子２２Ｗにおける図中Ｂの部分に電圧クリップ５４Ｗ（図１参照）を取り付ける場合、電圧端子２２Ｗの直下に銅板２４Ｂが存在している。ここで、電圧端子２２Ｗと銅板２４Ｂとの間隔が狭いため、電圧クリップ５４Ｗ（図１参照）を取り付ける際に、電圧クリップ５４Ｗの先端部が電圧端子２２Ｗ及び銅板２４Ｂに同時に接触して、相関短絡を引き起こすおそれがある。従来は、電圧クリップ５４Ｗ（図１参照）を取り付ける前に、電圧端子２２Ｗと銅板２４Ｂとの間に絶縁テープを取り付けていたが、本実施形態は、図３に示すように、電圧端子２２Ｗと銅板２４Ｂとの間に、可塑性部材に相当する絶縁性を有する粘土３０を取り付ける。
【００３１】
図３は、図２のＢ付近に粘土３０を取り付けた状態を示す斜視図である。粘土３０としては、絶縁性を有する他に、乾燥によって硬化しないこと、銅板２４Ｂ表面から落下しない程度の粘性を有すること、銅板２４Ｂ表面から剥離可能であること、といった条件を満たしているものが望ましい。
【００３２】
作業員は、電圧端子２２Ｗと銅板２４Ｂとの間に、粘土３０を取り付ける際に、まず、粘土３０を薄く延ばして、電圧端子２２Ｗと銅板２４Ｂとの間に挿入できる程度の形状に整える。次に、電圧端子２２Ｗと銅板２４Ｂとの間に粘土３０を挿入して、銅板２４Ｂに軽く押しつける。これにより、粘土３０が銅板２４Ｂ表面に取り付けられ、粘土３０は自体の粘着性によって銅板２４Ｂ表面に粘着した状態で維持される。そして、作業員は、図３に示すように、粘土３０を取り付けた後に、図４に示すように、電圧端子２２Ｗに電圧クリップ５４Ｗを取り付ける。なお、電圧クリップ５４Ｒ、５４Ｂについても同様に、電圧端子２２Ｒ、２２Ｂに対向している銅板の表面を粘土３０で防護した後に、電圧クリップ５４Ｒ、５４Ｂを電圧端子２２Ｒ、２２Ｂに取り付ける。
【００３３】
図４は、図３の電圧端子２２Ｗに電圧クリップ５４Ｗを取り付けた状態を示す斜視図である。電圧端子２２Ｗと銅板２４Ｂとの間に粘土３０が取り付けられたことにより、銅板２４Ｂが粘土３０によって防護される。これにより、作業員が、電圧端子２２Ｗに電圧クリップ５４Ｗを取り付ける際に、電圧クリップ５４Ｗの先端部が銅板２４Ｂに接触することが確実に防止することが可能になり、相関短絡の発生を防止することができる。
【００３４】
また、分電盤１に計器５０を取り付けている間に電圧クリップ５４Ｗが外れることがあったとしても、銅板２４Ｂが粘土３０によって防護されているため、外れた電圧クリップ５４Ｗが電圧端子２２Ｗ及び銅板２４Ｂに同時に接触することがなくなり、相関短絡の発生を防止することができる。
【００３５】
そして、一定期間経過した後、作業員は、電圧端子２２Ｒ、２２Ｗ、２２Ｂから電圧クリップ５４Ｒ、５４Ｗ、５４Ｂを取り外す。この時、電圧端子２２Ｒ、２２Ｗ、２２Ｂに対向している部位は粘土によって防護されているため、作業員が、例えば、電圧端子２２Ｗから電圧クリップ５４Ｗを取り外す際に、電圧クリップ５４Ｗの先端部が銅板２４Ｂに接触することが確実に防止可能になり、相関短絡の発生を防止することができる。また、粘土３０は、乾燥によって硬化しておらず、銅板２４Ｂ表面から剥離可能であるため、除去作業が容易に可能になる。
【００３６】
以上、説明したように構成された本発明によれば、電圧クリップ５４Ｗを電圧端子２２Ｗに取り付ける前に、電圧端子２２Ｗ近傍に絶縁性を有する粘土３０を取り付け、電圧クリップ５４Ｗと電圧端子２２Ｗ近傍の電気部品との間に粘土３０を介在させることによって、粘土３０が、分電盤１における銅板２４Ｒの防護となり、電圧クリップ５４Ｗを取り付ける際に、電圧端子２２Ｗ及び銅板２４Ｒに電圧クリップ５４Ｗが同時に接触することが防止され、相関短絡の発生を防止することができる。更に、粘土３０は、電圧端子２２Ｗ付近の構成に合わせて形状を変形させることが容易に可能であるため、防護の取付作業を簡略化することが可能になる。
【００３７】
なお、本発明は、上述したものに限るものではない。例えば、上述した実施形態においては、電圧端子２２Ｗと銅板２４Ｒとの間に絶縁性を有する粘土３０を取り付けているが、それに限らず、例えば、図５に示すように、絶縁性を有する袋部材３２の内部に粘土３４を充填してなるものを使用することが可能である。より具体的には、使用しなくなった低圧ゴム手袋の指先部分を切り落とし、その指先部分の中に適量の粘土を充填したものが使用可能である。ここで、充填する粘土は絶縁性を有していないものでもかまわない。
【００３８】
また、粘土３０の代わりに、図６に示すように、ゲル状（ゼリー状）の絶縁性部材３６を電圧端子２２Ｗと銅板２４Ｒとの間に取り付けてもよい。
【００３９】
また、粘土３０の代わりに、図２のＢ付近において電圧端子２２Ｗに対向している部位及びその周辺に絶縁性を有する液状部材を塗布して、図７に示すように絶縁層３８を形成してもよい。ここで、図７は、液状部材が塗布された後の図２のＢ付近を側方から見た図である。液状部材としては、絶縁性を有する他に、乾燥時に剥離可能な絶縁膜になるものが望ましい。また、液状部材がある程度硬化した後に再度塗布を行うことを繰り返して、複数層の絶縁層を形成してもよい。
【００４０】
これにより、電圧端子２２Ｗに電圧クリップ５４Ｗを取り付けたときに、電圧クリップ５４Ｗと銅板２４Ｒとの間に絶縁層３８が介在するため、絶縁層３８が、分電盤１における銅板２４Ｒの防護となる。また、電圧クリップ５４Ｗを取り付ける際に、電圧端子２２Ｗ及び銅板２４Ｒに電圧クリップ５４Ｗが同時に接触することが防止され、相関短絡の発生を防止することができる。更に、液状部材は、塗布された際に電圧端子２２Ｗに対応する銅板２４Ｒ付近の構成に合わせて形状が変化するため、防護したい領域をピンポイントでカバーする絶縁層を形成することが可能になる。このように、防護の取付作業を簡略化することが可能になる。
【００４１】
また、分電盤１についても、図１に示すタイプの分電盤でなくても本発明を適用することは可能である。また、エネルギー診断業務以外でも、例えば配電業務において低圧計器の取り替えや電圧確認時における短絡防止のために、低圧充電部を粘土３０あるいは絶縁層３８で防護してもよい。また、電気工事店の作業員が、テスタの細い棒状の入力端子を電気回路基盤における所定の端子に当接させて、電気回路基盤における電圧確認を行う際の短絡防止のために、低圧充電部を粘土３０あるいは絶縁層３８で防護してもよい。また、上述した実施形態における計器５０は、使用電力量を電気的値に相当するものとして調査しているが、電気的値として電流、電圧、更には抵抗の値を調査する計器であってもよい。
【符号の説明】
【００４２】
１  分電盤
５  主幹ブレーカ
１０  分岐ブレーカ
２０  中継端子台
２２Ｒ、２２Ｗ、２２Ｂ  電圧端子
２４Ｒ、２４Ｗ、２４Ｂ  銅板
３０  粘土
３０Ｒ  銅板
３２  袋部材
３４  粘土
３６  絶縁性部材
３８  絶縁層
５０  計器
５２Ｒ、５２Ｗ、５２Ｂ  リード線
５４Ｒ、５４Ｗ、５４Ｂ  電圧クリップ
【図１】
2013081293.tif 000003
【図２】
2013081293.tif 000004
【図３】
2013081293.tif 000005
【図４】
2013081293.tif 000006
【図５】
2013081293.tif 000007
【図６】
2013081293.tif 000008
【図７】
2013081293.tif 000009